(57)【要約】【課題】シフトレバーの揺動方向、現在のシフト位置及び現在の変速段を容易に理解することができる表示制御装置を提供する。【解決手段】ガイド画像処理部は、変速装置１１から入力されるシフト位置情報に基づいて、変化後のシフト位置を示すシフト位置標識と変化後のシフト位置に対応するシフトレバー保持標識とが表示装置の表示画面の第１の位置に描画されるようにガイド画像を配置する。そして、表示制御装置は、シフト位置標識とガイド画像処理部によって配置されたガイド画像とを表示装置へ出力する。これにより、シフト位置の変化の前後において、シフト位置を示すシフト位置標識とシフト位置に応じたシフトレバー保持標識とが表示される表示画面上の位置を固定することができる。【選択図】図１
2008213780.tif 000002
【特許請求の範囲】
【請求項１】
車両の変速装置に対して、シフトレバーで切り換えられたシフト位置を当該車両の表示装置に表示する表示制御装置であって、
前記シフトレバーを移動させるガイド形状を模したガイド画像を少なくとも１つ記憶するガイド画像記憶手段と、
前記変速装置から出力されるシフト位置情報が示すシフト位置が変化したとき、変化後のシフト位置に応じた前記ガイド形状上の位置と前記変化後のシフト位置を示すシフト位置標識とが、前記表示装置の表示画面における第１の位置に固定して描画され、変化前のシフト位置に応じた前記ガイド形状上の位置は前記第１の位置から離れるように前記ガイド画像を配置するガイド画像処理手段と、
前記シフト位置標識と共に前記ガイド画像処理手段が配置した前記ガイド画像を前記表示装置へ出力する出力手段とを備える、表示制御装置。
【請求項２】
前記ガイド画像処理手段は、前記ガイド画像を移動させて配置し、
前記表示制御装置は、
前記表示装置の表示画面における前記第１の位置に前記シフト位置標識をそれぞれ描画する画像をシフト位置画像として記憶するシフト位置画像記憶手段と、
前記シフト位置情報が示すシフト位置に基づき、前記シフト位置画像記憶手段から、前記変化後のシフト位置に応じた前記シフト位置画像を読み出す画像特定手段と、
前記ガイド画像処理手段が移動させて配置した前記ガイド画像と前記画像特定手段が読み出した前記シフト位置画像とを合成する画像合成手段とを、さらに備え、
前記出力手段は、前記画像合成手段が合成した画像を出力する、請求項１に記載の表示制御装置。
【請求項３】
前記ガイド画像記憶手段は、前記ガイド形状上の複数のシフト位置がそれぞれ前記第１の位置に描画された複数のガイド画像を記憶し、
前記ガイド画像処理手段は、前記変速装置から出力されるシフト位置情報に基づき、前記ガイド画像記憶手段から前記変化後のシフト位置に対応する前記ガイド形状上の位置が前記第１の位置に描画された前記ガイド画像を読み出し、
前記表示制御装置は、
前記第１の位置に前記シフト位置標識をそれぞれ描画する画像をシフト位置画像として記憶するシフト位置画像記憶手段と、
前記シフト位置情報が示すシフト位置に基づき、前記シフト位置画像記憶手段から、前記変化後のシフト位置に応じた前記シフト位置画像を読み出す画像特定手段と、
前記ガイド画像処理手段が読み出した前記ガイド画像と前記画像特定手段が読み出した前記シフト位置画像とを合成する画像合成手段とを、さらに備え、
前記出力手段は、前記画像合成手段が合成した画像を出力する、請求項１に記載の表示制御装置。
【請求項４】
前記ガイド画像記憶手段は、前記ガイド形状上の複数のシフト位置と当該複数のシフト位置のそれぞれに応じた前記シフト位置標識とがそれぞれ前記第１の位置に描画された複数のガイド画像を記憶し、
前記ガイド画像処理手段は、前記変速装置から出力されるシフト位置情報に基づき、前記ガイド画像記憶手段から前記変化後のシフト位置に応じた前記シフト位置標識が前記第１の位置に描画された前記ガイド画像を読み出し、
前記出力手段は、前記ガイド画像処理手段が読み出した前記ガイド画像を出力する、請求項１に記載の表示制御装置。
【請求項５】
前記ガイド画像処理手段は、前記シフト位置情報が示すシフト位置が変化したとき、前
記変化後のシフト位置に応じた前記ガイド形状上の位置が前記第１の位置に描画される方向に、前記ガイド形状に沿って前記ガイド画像を所定の移動速度で移動させて配置する、請求項２又は３に記載の表示制御装置。
【請求項６】
前記変速装置は、自動変速装置であり、変速段が手動で選択可能なシフト位置を有しており、
前記表示制御装置は、前記第１の位置に描画され、前記変速段をそれぞれ数字で示す変速段画像を記憶する変速段画像記憶手段を、さらに備え、
前記画像特定手段は、前記変速装置から出力されるシフト位置情報が前記変速段を選択可能なシフト位置を示すとき、前記変速装置から出力される変速段情報に基づいて前記変速段画像記憶手段から前記変速段画像を読み出し、
前記画像合成手段は、前記変速装置から出力されるシフト位置情報が前記変速段を選択可能なシフト位置を示すとき、前記画像特定手段によって読み出された前記変速段画像と前記ガイド画像処理手段によって配置された前記ガイド画像とを合成して前記表示装置へ出力する、請求項２又は３に記載の表示制御装置。
【請求項７】
前記変速段画像記憶手段は、前記変速段が高速段へ変化したことを示す記号と低速段に変化したことを示す記号とがそれぞれ互いに異なる第２の位置及び第３の位置に描画された変速方向画像をさらに記憶し、
前記画像特定手段は、前記変速装置から出力されるシフト位置情報が前記変速段を選択可能なシフト位置において前記高速段への変化又は前記低速段への変化を示すとき、当該変速段の変化方向に応じて前記変速段画像記憶手段から前記変速方向画像をさらに読み出して出力し、
前記画像合成手段は、さらに前記画像特定手段が読み出した前記変速方向画像を合成して出力する、請求項６に記載の表示制御装置。
【請求項８】
車両の変速装置に対して、シフトレバーで切り換えられたシフト位置を当該車両の表示装置に表示する表示装置であって、
表示手段と、
前記シフトレバーを移動させるガイド形状を模したガイド画像を少なくとも１つ記憶するガイド画像記憶手段と、
前記変速装置から出力されるシフト位置情報が示すシフト位置が変化したとき、変化後のシフト位置に応じた前記ガイド形状上の位置と前記変化後のシフト位置を示すシフト位置標識とが、前記表示装置の表示画面における第１の位置に固定して描画され、変化前のシフト位置に応じた前記ガイド形状上の位置は前記第１の位置から離れるように前記ガイド画像を配置するガイド画像処理手段と、
前記シフト位置標識と共に前記ガイド画像処理手段が配置した前記ガイド画像を前記表示手段の表示画面へ出力する出力手段とを備える、表示装置。
【請求項９】
車両の変速装置に対して、シフトレバーで切り換えられたシフト位置を当該車両の表示装置に表示する表示制御方法であって、
前記シフトレバーを移動させるガイド形状を模したガイド画像を記憶手段から読み出し、前記変速装置から出力されるシフト位置情報が示すシフト位置が変化したとき、変化後のシフト位置に応じた前記ガイド形状上の位置と前記変化後のシフト位置を示すシフト位置標識とが、前記表示装置の表示画面における第１の位置に固定して描画され、変化前のシフト位置に応じた前記ガイド形状上の位置は前記第１の位置から離れるように前記ガイド画像を配置するガイド画像処理ステップと、
前記シフト位置標識と共に前記ガイド画像処理ステップにおいて配置した前記ガイド画像を前記表示装置へ出力する出力ステップとを含む、表示制御方法。
【発明の詳細な説明】
【技術分野】
【０００１】
本発明は、自動車等の移動体に搭載されている変速装置を操作するための表示装置に関する。
【背景技術】
【０００２】
自動車等の移動体には、変速機の変速段を知るための変速段表示装置が、スピードメーターなどと共に自動車のダッシュボードに取り付けられている。そして、変速段表示装置の表示を搭乗者にとって理解しやすい表示となるように工夫することが、従来からされてきた。変速段表示装置の表示方法の一例として、例えば、特許文献１に記載の技術がある。
【０００３】
図２４は、特許文献１における変速装置のシフト位置の位置関係を示す図である。図２４に示される変速装置は、状態Ａ〜状態Ｃの３つの状態を切り換えることができる。図２５〜図２６は、特許文献１に記載の表示装置９０によるシフト位置の表示を示す図である。図２５〜図２６は、図２４に示す変速装置において、状態Ａから状態Ｂに切り換えるときの表示の変化を示す図である。
【０００４】
図２５は、図２４に示す変速装置において、状態Ａが選択されているときの表示を示す図である。図２５には、３つの表示位置９０１〜９０３のそれぞれに状態Ａ〜状態Ｃのそれぞれが表示されている。図２５において、表示位置９０１には、現在選択されている状態Ａが、その文字を囲む円と共に反転して表示されている。そして、表示位置９０２及び９０３のそれぞれには、現在選択されていない状態Ｂ及びＣが、それらの文字を囲む円と共に表示されている。
【０００５】
図２６は、図２４に示す変速装置において、状態Ａから状態Ｂにシフト位置が切り換えられたときの表示を示す図である。状態Ａから状態Ｂにシフト位置が切り換えられると、図２６に示されるように、表示位置９０１に表示されている文字が、ＡからＢに切り換えられ、切り換えられた文字とその文字を囲む円とが反転して表示される。そして、状態Ｂが表示されていた表示位置９０２の表示が消去されると同時に、選択されていない状態Ａを表示するために、新たな表示位置９０４に状態Ａを示す文字と文字を囲む円とが表示される。尚、表示位置９０３の表示は、変化しない。
【特許文献１】特表２００５−５２７４３２号公報
【発明の開示】
【発明が解決しようとする課題】
【０００６】
しかしながら、図２５〜図２６に示す表示方法では、次のような問題点がある。すなわち、図２５に示される表示装置の表示では、状態Ａの位置からセレクトレバーを右側に揺動すれば状態Ａから状態Ｃに切り換えることが可能なように見えてしまう。同様に、図２６に示される表示装置の表示では、状態Ｂの位置からセレクトレバーを右側に揺動すれば状態Ｂから状態Ｃに切り換えることが可能なように見えてしまう。しかしながら、図２４に示されるシフト位置の実際の位置関係から明らかなように、状態Ａ及び状態Ｂのいずれの状態からもセレクトレバーを右側に揺動することはできない。つまり、図２５〜図２６に示す表示方法では、セレクトレバーを揺動する経路を正確に表示することができない。
【０００７】
図２７は、前述した図２５〜図２６に示す表示方法の問題点を考慮して、表示位置９０３に表示されている状態Ｃの表示を消去する表示方法を示す図である。しかしながら、図２７に示す表示方法では、状態Ａ及び状態Ｂのいずれの状態からも状態Ｃの位置にセレク
トレバーを揺動するための経路が表示されない。すなわち、図２７に示す表示方法では、前述した図２５〜図２６に示す表示方法と同様に、セレクトレバーを揺動する経路を正確に表示することができない。
【０００８】
以上より、特許文献１に記載の表示方法では、現在選択されているシフト位置を固定して表示することやセレクトレバーを揺動するための経路を正確に表示することができない。セレクトレバーが揺動されるたびに選択されたシフト位置の表示位置が変化すると、搭乗者は選択されたシフト位置を確認するためにより多くの時間を必要とする。また、特許文献１に記載の表示方法では、セレクトレバーを揺動するためのガイドを正確に表示できないため、搭乗者は、搭乗者自身の記憶を頼りに変速装置の揺動方向を判断しなければならない。結果的に、特許文献１に記載の表示方法は、操縦者にとって理解が容易な表示方法であるとは言えない。また、特許文献１に記載の表示方法では、搭乗者の記憶が曖昧であるときや、搭乗者に危機的な状況が訪れて正常な判断ができないときには、変速装置を誤操作してしまう可能性がある。特に、上下左右に複雑な操作を要求するシフトレバー、すなわち、ゲート式シフトレバーなどでは、誤操作の可能性がさらに大きくなる。
【０００９】
本発明は、上記課題を解決するために、現在選択されているシフト位置に対応するガイド上の位置を表示画面において固定して表示すると共に現在選択されているシフト位置を文字で示すシフト位置標識を表示することで、操縦者が、シフトレバーの揺動方向及び現在のシフト位置を理解しやすい表示装置を提供することを目的とする。
【課題を解決するための手段】
【００１０】
上記課題を解決するため、本発明は、以下に示すような特徴を有する。
【００１１】
第１の発明は、車両の変速装置に対して、シフトレバーで切り換えられたシフト位置を当該車両の表示装置に表示する表示制御装置であって、シフトレバーを移動させるガイド形状を模したガイド画像を少なくとも１つ記憶するガイド画像記憶手段と、変速装置から出力されるシフト位置情報が示すシフト位置が変化したとき、変化後のシフト位置に応じたガイド形状上の位置と変化後のシフト位置を示すシフト位置標識とが、表示装置の表示画面における第１の位置に固定して描画され、変化前のシフト位置に応じたガイド形状上の位置は第１の位置から離れるようにガイド画像を配置するガイド画像処理手段と、シフト位置標識と共にガイド画像処理手段が配置したガイド画像を表示装置へ出力する出力手段とを備える。
【００１２】
第２の発明は、第１の発明において、ガイド画像処理手段は、ガイド画像を移動させて配置し、表示制御装置は、表示装置の表示画面における第１の位置にシフト位置標識をそれぞれ描画する画像をシフト位置画像として記憶するシフト位置画像記憶手段と、シフト位置情報が示すシフト位置に基づき、シフト位置画像記憶手段から、変化後のシフト位置に応じたシフト位置画像を読み出す画像特定手段と、ガイド画像処理手段が移動させて配置したガイド画像と画像特定手段が読み出したシフト位置画像とを合成する画像合成手段とを、さらに備え、出力手段は、画像合成手段が合成した画像を出力する。
【００１３】
第３の発明は、第１の発明において、ガイド画像記憶手段は、ガイド形状上の複数のシフト位置がそれぞれ第１の位置に描画された複数のガイド画像を記憶し、ガイド画像処理手段は、変速装置から出力されるシフト位置情報に基づき、ガイド画像記憶手段から変化後のシフト位置に対応するガイド形状上の位置が第１の位置に描画されたガイド画像を読み出し、表示制御装置は、第１の位置にシフト位置標識をそれぞれ描画する画像をシフト位置画像として記憶するシフト位置画像記憶手段と、シフト位置情報が示すシフト位置に基づき、シフト位置画像記憶手段から、変化後のシフト位置に応じたシフト位置画像を読み出す画像特定手段と、ガイド画像処理手段が読み出したガイド画像と画像特定手段が読
み出したシフト位置画像とを合成する画像合成手段とを、さらに備え、出力手段は、画像合成手段が合成した画像を出力する。
【００１４】
第４の発明は、第１の発明において、ガイド画像記憶手段は、ガイド形状上の複数のシフト位置と複数のシフト位置のそれぞれに応じたシフト位置標識とがそれぞれ第１の位置に描画された複数のガイド画像を記憶し、ガイド画像処理手段は、変速装置から出力されるシフト位置情報に基づき、ガイド画像記憶手段から変化後のシフト位置に応じたシフト位置標識が第１の位置に描画されたガイド画像を読み出し、出力手段は、ガイド画像処理手段が読み出したガイド画像を出力する。
【００１５】
第５の発明は、第２又は３の発明において、ガイド画像処理手段は、シフト位置情報が示すシフト位置が変化したとき、変化後のシフト位置に応じたガイド形状上の位置が第１の位置に描画される方向に、ガイド形状に沿ってガイド画像を所定の移動速度で移動させて配置する。
【００１６】
第６の発明は、第２又は３の発明において、変速装置は、自動変速装置であり、変速段が手動で選択可能なシフト位置を有しており、表示制御装置は、第１の位置に描画され、変速段をそれぞれ数字で示す変速段画像を記憶する変速段画像記憶手段を、さらに備え、画像特定手段は、変速装置から出力されるシフト位置情報が変速段を選択可能なシフト位置を示すとき、変速装置から出力される変速段情報に基づいて変速段画像記憶手段から変速段画像を読み出し、画像合成手段は、変速装置から出力されるシフト位置情報が変速段を選択可能なシフト位置を示すとき、画像特定手段によって読み出された変速段画像とガイド画像処理手段によって配置されたガイド画像とを合成して表示装置へ出力する。
【００１７】
第７の発明は、第６の発明において、変速段画像記憶手段は、変速段が高速段へ変化したことを示す記号と低速段に変化したことを示す記号とがそれぞれ互いに異なる第２の位置及び第３の位置に描画された変速方向画像をさらに記憶し、画像特定手段は、変速装置から出力されるシフト位置情報が変速段を選択可能なシフト位置において高速段への変化又は低速段への変化を示すとき、当該変速段の変化方向に応じて変速段画像記憶手段から変速方向画像をさらに読み出して出力し、画像合成手段は、さらに画像特定手段が読み出した変速方向画像を合成して出力する。
【００１８】
第８の発明は、車両の変速装置に対して、シフトレバーで切り換えられたシフト位置を表示する表示装置であって、表示手段と、シフトレバーを移動させるガイド形状を模したガイド画像を少なくとも１つ記憶するガイド画像記憶手段と、変速装置から出力されるシフト位置情報が示すシフト位置が変化したとき、変化後のシフト位置に応じたガイド形状上の位置と変化後のシフト位置を示すシフト位置標識とが、表示装置の表示画面における第１の位置に固定して描画され、変化前のシフト位置に応じたガイド形状上の位置は第１の位置から離れるようにガイド画像を配置するガイド画像処理手段と、シフト位置標識と共にガイド画像処理手段が配置したガイド画像を表示手段の表示画面へ出力する出力手段とを備える。
【００１９】
第９の発明は、車両の変速装置に対して、シフトレバーで切り換えられたシフト位置を当該車両の表示装置に表示する表示制御方法であって、シフトレバーを移動させるガイド形状を模したガイド画像を記憶手段から読み出し、変速装置から出力されるシフト位置情報が示すシフト位置が変化したとき、変化後のシフト位置に応じたガイド形状上の位置と変化後のシフト位置を示すシフト位置標識とが、表示装置の表示画面における第１の位置に固定して描画され、変化前のシフト位置に応じたガイド形状上の位置は第１の位置から離れるようにガイド画像を配置するガイド画像処理ステップと、シフト位置標識と共にガイド画像処理ステップにおいて配置したガイド画像を表示装置へ出力する出力ステップと
を含む。
【発明の効果】
【００２０】
第１の発明によれば、表示装置の表示画面に、変化後のシフト位置に対応するガイド形状上の位置と変化後のシフト位置を示すシフト位置標識とが常に第１の位置に固定して表示されるため、搭乗者がシフトレバーの揺動方向及び現在のシフト位置を理解しやすい表示をすることができる。
【００２１】
第２の発明によれば、ガイド画像処理手段は、シフト位置が切り換えられるたびにガイド画像を移動させて配置して出力するため、予め一枚のガイド画像を用意しておくだけで、搭乗者が、シフトレバーの揺動方向及び現在のシフト位置を理解しやすい表示をすることができる。
【００２２】
第３の発明によれば、変速装置のシフト位置のそれぞれに応じて予め配置された複数のガイド画像が用意されているため、ガイド画像処理手段がガイド画像を配置する処理の負担を軽減することができる。
【００２３】
第４の発明によれば、変速装置のシフト位置のそれぞれに応じて配置されたガイド形状と当該シフト位置を文字で示すシフト位置標識とが予め一枚の画像に描画された複数の画像のそれぞれをガイド画像として用意するため、シフト位置画像とガイド画像とを合成する処理をすることなく、搭乗者がシフトレバーの揺動方向及び現在のシフト位置を理解しやすい表示をすることができる。
【００２４】
第５の発明によれば、搭乗者がシフト位置を切り換えたときに、ガイド形状が移動する様子を動画で表示装置に表示することができるため、シフトレバーがガイド上を揺動する様子を。
【００２５】
第６の発明によれば、シーケンシャルシフトマチックモードが選択されているときに、現在の変速段を数字で示す変速段画像とガイド画像とを合成した画像を出力するため、現在の変速段を数字で表示することができる。
【００２６】
第７の発明によれば、シーケンシャルシフトマチックモードが選択されているときにおいて、搭乗者がシフトアップ操作又はシフトダウン操作をしたときに、いずれの操作をしたかをさらに表示装置に表示することができるため、搭乗者は変速段を変化させたときに、所望の変化方向へ変速段が変化したか否かを確認することができる。
【発明を実施するための最良の形態】
【００２７】
（第１の実施形態）
図１は、本発明の第１の実施形態に係る表示制御装置１０の構成を示すブロック図である。表示制御装置１０は、変速装置１１から出力されるシフト位置情報及び変速段情報の少なくともいずれか一方に基づいて、表示装置１２の表示を制御する。
【００２８】
図２は、変速装置１１の具体的な構成の一例を示す図である。変速装置１１は、変速操作部１１０と変速制御ＥＣＵ（Electronic Control Unit）１１１からなる。変速操作部１１０は、変速装置１１の変速段を操作するためのシフトレバー１１２とシフトレバーを所定のシフト位置に揺動させるガイド１１３からなる。図２には、所定のシフト位置としてＰポジション、Ｒポジション、Ｎポジション、Ｄポジション及びＳポジションのそれぞれを切り換えることの可能な変速操作部１１０が示されている。尚、図２において、シフトレバー保持位置１１４ａ〜１１４ｅのそれぞれは、変速装置１１のシフト位置のそれぞれに応じて保持されるシフトレバーの位置を示す。変速制御ＥＣＵ１１１は、シフトレバ
ー１１２のシフト位置を示すシフト位置情報や変速装置１１の変速段を示す変速段情報を表示制御装置１０へ出力する。
【００２９】
図３は、図２に示されるガイド１１３の形状を模したガイド画像１２１を示す図である。ガイド画像１２１には、図２に示されるガイド１１３上のそれぞれのシフトレバー保持位置１１４ａ〜１１４ｅのそれぞれの位置に対応してガイド画像上のそれぞれの位置にシフトレバー保持標識１２２ａ〜ｅのそれぞれも描画される。ガイド画像１２１は、変速装置１１から出力されるシフト位置情報が示すシフトレバー保持位置１１４ａ〜１１４ｅのいずれか１つに対応するシフトレバー保持標識１２２ａ〜１２２ｅのいずれか一つが表示装置１２の表示画面における第１の位置１２３に描画されるように配置される。図３は、第１の位置１２３が表示装置１２の表示画面の略中央である場合に、第１の位置１２３にシフトレバー保持標識１２２ｃが配置されているガイド画像１２１を示す図である。
【００３０】
図４は、変速装置１１のシフト位置を文字や印で示すシフト位置標識を表示装置１２の表示領域の第２の位置１２４に描画するシフト位置画像１２５の一例を示す図である。図４に示されるシフト位置画像１２５は、変速装置１１のシフト位置の内、Ｎポジションのシフト位置を示すシフト位置画像１２５の一例である。尚、第１の実施形態では、第１の位置１２３と第２の位置１２４とが、共に表示装置１２の表示画面の略中央である場合を一例として説明をする。尚、特許請求の範囲に記載の第１の位置とは、本発明のすべての実施形態における、第１の位置と必ずしも対応するものではなく、表示装置の表示画面において予め定められた所定の位置を示すものであることを付言しておく。また、特許請求の範囲に記載の第２の位置及び第３の位置についても同様である。
【００３１】
図５は、第１の実施形態に係る表示制御装置１０によって、表示装置１２に表示されるシフト位置表示の一例を示す図である。尚、表示装置１２には、後述するようにシフト位置の表示と共にスピードメーターなども表示されるが、図５にはシフト位置の表示のみを示す。
【００３２】
表示制御装置１０は、シフト位置情報が示すシフト位置に対応するシフトレバー保持標識１２２ａ〜１２２ｅのいずれか一つが第１の位置１２３に描画されるように配置したガイド画像１２１とシフト位置情報が示すシフト位置に対応するシフト位置標識を第２の位置１２４に描画するシフト位置画像１２５とを合成して、合成した画像を表示装置１２に出力することで、図５に示す表示を実現する。
【００３３】
次に、図５に示されるような表示を実現するための表示制御装置１０の構成を再度図１を参照しながら説明する。表示制御装置１０は、切り換え判定部１０１とシフト位置画像記憶部１０２とガイド画像記憶部１０３と画像特定部１０４とガイド画像処理部１０５と画像合成部１０６とを備える。
【００３４】
切り換え判定部１０１は、変速装置１１から出力されるシフト位置情報が示すシフト位置に基づいて、シフト位置が搭乗者によって切り換えられたか否かを判断する。そして、切り換え判定部１０１は、シフト位置が切り換えられたときにのみ、変速装置１１から出力されるシフト位置情報を出力する。
【００３５】
シフト位置画像記憶部１０２は、変速装置１１のシフト位置をそれぞれ文字で示すシフト位置標識を第２の位置１２４に描画するシフト位置画像１２５を、変速装置１１のシフト位置の数だけ記憶している。
【００３６】
ガイド画像記憶部１０３は、図３に示されるガイド画像１２１を記憶している。
【００３７】
画像特定部１０４は、切り換え判定部１０１から入力されるシフト位置情報が示すシフト位置に対応するシフト位置画像１２５をシフト位置画像記憶部１０２から読み出して出力する。
【００３８】
ガイド画像処理部１０５は、ガイド画像記憶部１０３に記憶されているガイド画像１２１をガイド画像記憶部１０３から読み出す。そして、ガイド画像処理部１０５は、切り換え判定部１０１から出力されるシフト位置情報が示すシフト位置に対応するシフトレバー保持標識１２２ａ〜１２２ｅのいずれか一つが第１の位置１２３に描画されるように、読み出したガイド画像１２１を移動させて配置する。
【００３９】
画像合成部１０６は、画像特定部１０４から出力されるシフト位置画像１２５とガイド画像処理部１０５から出力されるガイド画像１２１とを合成して、表示装置１２へ出力する。
【００４０】
次に、以上のように構成される表示制御装置１０の具体的な処理を図６に示すフローチャートを参照しながら説明する。
【００４１】
ステップＳ１０１において、切り換え判定部１０１は、変速装置１１から入力されるシフト位置情報に基づき、搭乗者によってシフト位置が切り換えられたか否かを判断する。そして、切り換え判定部１０１が、シフト位置が切り換えられたと判断したとき、ステップＳ１０２の処理へ進む。また、切り換え判定部１０１が、シフト位置が切り換えられていないと判断したとき、ステップＳ１０１の処理を繰り返す。
【００４２】
切り換え判定部１０１が、シフト位置が切り換えられたと判断するタイミングの詳細について説明する。シフトレバー１１２のシフト位置を検出するスイッチの一例として、インヒビタースイッチが挙げられる。インヒビタースイッチは、複数の電気的な接点を有しており、それらの接点のＯｎとＯｆｆとの組み合わせでシフトレバー１１２のシフト位置を検出する。そして、これらの接点は、所定の間隔を空けて配置されている場合がある。したがって、シフト位置が切り換えられるときの切り換え判定部１０１に入力されるシフト位置情報は、切り換え前のシフト位置を示す状態から、いずれのシフト位置も示さない状態を経て、切り換え後のシフト位置を示す状態となる。このような場合、切り換え判定部１０１は、シフト位置情報がいずれのシフト位置も示さない状態を経て、切り換え後のシフト位置を示す状態となったときにシフト位置が切り換えられたと判断する。
【００４３】
ステップＳ１０２において、画像特定部１０４は、切り換え判定部１０１から出力されるシフト位置情報が示すシフト位置に対応するシフト位置画像１２５をシフト位置画像記憶部１０２から読み出して出力する。画像特定部１０４が、ステップＳ１０２の処理を完了すると、ステップＳ１０３の処理へ進む。
【００４４】
ステップＳ１０３において、ガイド画像処理部１０５は、ガイド画像記憶部１０３からガイド画像１２１を読み出す。ガイド画像処理部１０５が、ステップＳ１０３の処理を完了すると、ステップＳ１０４の処理へ進む。
【００４５】
ステップＳ１０４において、ガイド画像処理部１０５は、切り換え判定部１０１から出力されるシフト位置情報が示すシフト位置に対応するシフトレバー保持標識が第１の位置１２３に描画されるように、読み出したガイド画像１２１を配置する。ガイド画像処理部１０５が、ステップＳ１０４の処理を完了すると、ステップＳ１０５の処理へ進む。
【００４６】
ステップＳ１０５において、画像合成部１０６は、画像特定部１０４から出力されるシフト位置画像１２５とガイド画像処理部１０５から出力されるガイド画像１２１とを合成
して表示装置１２へ出力する。画像合成部１０６が、ステップＳ１０５の処理を完了すると、表示制御装置１０は、図６のフローチャートに示す処理をステップＳ１０１から繰り返す。
【００４７】
図７Ａ〜Ｅは、シフトレバーがシフトレバー保持位置１１４ａ〜１１４ｅのそれぞれに切り換えられたときの表示装置１２のシフト位置表示を示す図である。第１の実施形態に係る表示制御装置１０において、第１の位置１２３と第２の位置１２４とは、表示装置１２の表示画面の略中央であり、互いに同じ位置である。したがって、表示制御装置１０は、シフトレバーがどのシフトレバー保持位置に切り換えられたとしても、ガイド画像１２１上の現在のシフト位置に対応するシフトレバー保持標識と現在のシフト位置に対応するシフト位置画像１２５とを常に表示装置１２の表示画面の略中央に表示する。
【００４８】
図８は、本発明における表示装置１２の一例を示す模式図である。表示装置１２は、前述したようにシフト位置の表示と共にスピードメーターなども表示する。ただし、第１の実施形態に係る表示制御装置１０によって表示されるシフト位置表示は必ずしもスピードメーターなどと共に表示装置１２に表示されなくてもよく、ＴＦＴ液晶表示装置などにシフト位置の表示のみが表示されてもよい。また、表示装置１２は、従来から使用されている一般的な計器盤としてのスピードメーターとシフト位置のみを表示する表示部とからなる表示装置でもよいし、シフト位置の表示をスピードメーターなどと共にＴＦＴ液晶表示装置などに擬似的に表示させるような表示装置でもよい。
【００４９】
尚、近年の自動変速装置には、手動で変速装置の変速段を切り換えることができるシーケンシャルシフトマチックモードを選択できるものがある。本発明は、シーケンシャルシフトマチックモードを搭載した変速装置のシフト位置及び変速段の表示にも有効である。図９は、変速装置１１にシーケンシャルシフトマチックモードが搭載されているときのシフト位置及び変速段を表示するために、前述の表示制御装置１０に新たな構成要素を追加した表示制御装置１０ａの構成を示すブロック図である。表示制御装置１０ａと表示制御装置１０との相違点は、切り換え判定部１０１及び画像特定部１０４のそれぞれと異なる動作をする切り換え判定部１０７及び画像特定部１０９と、表示制御装置１０が備えていない変速段画像記憶部１０８とを備える点である。
【００５０】
図１０は、表示制御装置１０ａによって、表示装置１２に表示される変速段の表示の一例を示す図である。表示制御装置１０ａは、シフト位置がＳポジションであるときにおいて、Ｓポジションのシフト位置に対応するシフトレバー保持標識１２２ｅが第１の位置１２３に描画されるように配置されたガイド画像１２１と変速段情報が示す変速段の数字が第２の位置１２４に描画されている変速段画像１２６とが合成された画像を表示する。
【００５１】
次に、図１０に示されるような表示を実現するための表示制御装置１０ａのより具体的な構成を再度図９を参照しながら説明する。尚、表示制御装置１０ａにおいて、表示制御装置１０と同一の構成要素については同一の参照符号を付し、説明を省略する。
【００５２】
切り換え判定部１０７は、変速装置１１から出力されるシフト位置情報が示すシフト位置及び変速段情報が示す変速段に基づいて、搭乗者によってシフト位置又は変速段が切り換えられたか否かを判断する。切り換え判定部１０７は、搭乗者によってシフト位置又は変速段が切り換えられたときにのみ、変速装置１１から出力されるシフト位置情報及び変速段情報を出力する。
【００５３】
変速段画像記憶部１０８は、シーケンシャルシフトマチックモードにおいて選択されうる変速段を示す数字が、それぞれ第２の位置１２４に描画されている複数の変速段画像１２６を記憶している。図１１は、変速段画像記憶部１０８が記憶している変速段画像１２
６の一例として、現在の変速段が３速であることを示す数字が、第２の位置１２４に描画されている変速段画像１２６を示している。
【００５４】
画像特定部１０９は、切り換え判定部１０７から出力されたシフト位置情報が示すシフト位置に対応するシフト位置画像１２５をシフト位置画像記憶部１０２から読み出して出力する。また、画像特定部１０９は、シフト位置情報が示すシフト位置がＳポジションであるとき、切り換え判定部１０７から出力された変速段情報が示す変速段に対応する変速段画像１２６を変速段画像記憶部１０８から読み出して出力する。
【００５５】
そして、画像合成部１０６は、ガイド画像処理部１０５が配置したガイド画像１２１と画像特定部１０９から出力される変速段画像１２６とを合成して出力する。つまり、一例として、シフト位置がＳポジションのときに画像合成部１０６が３速の変速段を表示する場合、図１１に示される変速段画像１２６と図１２に示されるＳポジションのシフト位置に対応するシフトレバー保持標識１２２ｅが第１の位置１２３に描画されるように配置されたガイド画像１２１とを合成して、図１０に示す変速段の表示を実現する。
【００５６】
次に、以上のように構成される表示制御装置１０ａの具体的な処理を図１３に示すフローチャートを参照しながら説明する。尚、図１３のフローチャートに示す処理の内、図６のフローチャートに示す処理と同一の処理については同一の参照符号を付し、説明を省略する。
【００５７】
ステップＳ２０１において、画像特定部１０９は、切り換え判定部１０７から出力されるシフト位置情報が示すシフト位置がＳポジションであるか否かを判断する。画像特定部１０９が、シフト位置情報が示すシフト位置がＳポジションであると判断したとき、ステップＳ２０２の処理へ進む。また、画像特定部１０９が、シフト位置情報が示すシフト位置がＳポジションでないと判断したとき、ステップＳ１０２の処理へ進む。
【００５８】
ステップＳ２０２において、画像特定部１０９は、切り換え判定部１０７から出力される変速段情報が示す変速段に対応する変速段画像１２６を変速段画像記憶部１０８から読み出して出力する。画像特定部１０９が、ステップＳ２０２の処理を完了すると、ステップＳ１０３の処理へ進む。
【００５９】
ステップＳ２０３において、切り換え判定部１０７は、変速装置１１から出力される変速段情報に基づき、搭乗者によって変速段が切り換えられたか否かを判断する。そして、切り換え判定部１０７が、変速段が切り換えられたと判断したとき、ステップＳ２０２の処理へ進む。また、切り換え判定部１０７が、変速段が切り換えられていないと判断したとき、ステップＳ２０１の処理へ戻る。尚、切り換え判定部１０７が、変速段が切り換えられたと判断するタイミングの詳細は、第１の実施形態に係る切り換え判定部１０７と同様なので説明を省略する。
【００６０】
図１４Ａ〜図１４Ｅは、シーケンシャルシフトマチックモードにおいて、変速装置１１のそれぞれの変速段に切り換えられたときの、表示制御装置１０ａによる表示を示す図である。表示制御装置１０ａにおいて、第１の位置１２３と第２の位置１２４とは、表示装置１２の表示画面の略中央であり、互いに同じ位置である。したがって、表示制御装置１０ａは、変速装置１１の変速段がどの辺即断に切り換えられたとしても、Ｓポジションのシフト位置に対応するシフトレバー保持標識１２２ｅと現在の変速段に対応する変速段画像１２６とを常に表示装置１２の表示画面の略中央に表示する。
【００６１】
以上より、第１の実施形態に係る表示制御装置１０によれば、ガイド１１３を模したガイド画像１２１を表示装置に表示するため、搭乗者は表示装置に表示されているガイド画
像１２１を視認することができ、手元を確認せずとも、シフトレバーを揺動する方向を確認することができる。また、現在のシフト位置を示すシフト位置画像１２５が常に表示装置１２の表示画面の略中央に固定して表示されるため、搭乗者は視線移動をすることなく現在のシフト位置及びシフトレバーの揺動方向を同時に確認することができる。したがって、第１の実施形態に係る表示制御装置１０によれば、搭乗者はシフトレバーの揺動方向及びシフト位置を理解しやすい表示を得ることができる。
【００６２】
また、表示制御装置１０ａによれば、Ｓポジションに対応するシフトレバー保持標識１２２ｅが第１の位置１２３に描画されるように配置されたガイド画像１２１と変速段情報が示す変速段を示す数字が第２の位置１２４に配置された変速段画像１２６とを表示することができる。表示制御装置１０は、変速段画像記憶部１０８を備えていないため、シフト位置がＳポジションに切り換えられたときや、変速段が切り換えられたときでも、第２の位置１２４に表示される文字は、シフト位置情報が示す“Ｓ”の文字であり、変速段情報が示す変速段、すなわち、数字を表示することができない。しかしながら、表示制御装置１０ａによれば、シフト位置がＳポジションに切り換えられたときは、第２の位置１２４に変速段情報が示す変速段、すなわち、数字が表示装置１２の表示画面に表示される。このため、搭乗者は、シフト位置がＳポジションであるときに変速段を直接知ることができる。
【００６３】
尚、第１の実施形態では、第１の位置１２３と第２の位置１２４、すなわち、シフト位置の文字が表示される位置とシフト位置に対応するシフトレバー保持標識が表示される位置とが同じ位置である場合を一例として説明した。しかし、第１の位置１２３と第２の位置１２４とは、必ずしも同じ位置でなくともよく、第１の位置１２３と第２の位置１２４とが、表示装置１２の表示画面において、互いに異なる位置でもよい。
【００６４】
また、第１の実施形態では、画像合成部１０６は、シフト位置画像１２５とガイド画像１２１とを合成して、合成した画像をそのまま出力することとした。しかし、画像合成部１０６は、図１５に示すように、第１の位置１２３と第２の位置１２４とが互いに異なるときに、合成した画像に対して、さらに、現在のシフト位置に対応したシフトレバー保持標識が表示される第１の位置１２３に、現在のシフト位置以外のシフトレバー保持標識（図１５の例では、黒く塗りつぶされた円）とは表示態様の異なるシフト位置標識１２７（図１５の例では、白く塗りつぶされた円）を重畳して合成してもよい。画像合成部１０６が、シフト位置標識１２７を第１の位置１２３に重畳して合成することで、シフト位置情報が示すシフト位置に対応するシフトレバー保持標識が他のシフトレバー保持標識と異なる標識として表示されるため、ガイド画像１２１上のシフト位置を搭乗者により理解しやすくすることができる。
【００６５】
また、第１の実施形態において、第１の位置１２３と第２の位置１２４とが同じ位置であるときには、ガイド画像１２１のガイド形状の種類又はシフト位置標識の大きさによっては、表示装置１２の表示画面に表示されるシフト位置標識と、現在のシフト位置に応じたシフトレバー保持標識以外のシフトレバー保持標識のいずれかとが重なって表示されてしまう場合がある。この場合、ガイド画像処理部１０５は、重なって表示されてしまうシフトレバー保持標識の表示位置をシフト位置標識と重ならない位置に移動させる処理をして、処理をした画像を出力してもよい。これにより、シフト位置画像１２５に描画されているシフト位置標識とガイド画像１２１に描画されているシフトレバー保持標識とが、表示装置１２の表示画面において互いに重なることがなくなるため、シフト位置画像１２５とガイド画像１２１との視認性が悪くなることを防ぐことができる。
【００６６】
（第１の実施形態の第１の変形例）
尚、表示制御装置１０ａは、シーケンシャルシフトマチックモードにおいて、変速段が
高速段又は低速段に切り換えられたときに、図１６Ａ及び図１６Ｂに示すような変速方向画像を表示装置１２に表示してもよい。図１７は、表示制御装置１０ａが、変速段が切り換えられたときに変速方向画像を表示するために、図１３のフローチャートを変更したものである。したがって、図１７のフローチャートにおいて、図１３と同一のステップについては、同一の参照符号を付し説明を省略する。
【００６７】
まず始めに、ステップＳ２０３において、切り換え判定部１０７は、変速装置１１から出力される変速段情報に基づき、搭乗者によって変速段が切り換えられたか否かを判断する。そして、切り換え判定部１０７が、変速段が切り換えられたと判断したとき、ステップＳ２００１の処理へ進む。また、切り換え判定部１０７が、変速段が切り換えられていないと判断したとき、ステップＳ２０１の処理へ戻る。
【００６８】
ステップＳ２００１において、画像特定部１０９は、切り換え判定部１０７から出力される変速段情報が示す変速段に対応する変速段画像１２６を変速段画像記憶部１０８から読み出して出力する。画像特定部１０９が、ステップＳ２００１の処理を完了すると、ステップＳ２００２の処理へ進む。
【００６９】
ステップＳ２００２において、画像特定部１０９は、切り換え判定部１０７から出力される変速段情報に基づいて、変速段のシフトアップ操作かシフトダウン操作かのいずれの操作がされたかを判断する。画像特定部１０９が、シフトダウン操作がされたと判断したとき、ステップＳ２００３の処理へ進む。一方、画像特定部１０９が、シフトアップ操作がされたと判断したとき、ステップＳ２００４の処理へ進む。
【００７０】
ステップＳ２００３において、画像特定部１０９は、表示装置１２の表示画面における所定の位置１３１にシフトダウン操作がされたことを示す“−”の標識が描画された変速方向画像を変速段画像記憶部１０８から読み出して出力する。画像特定部１０９が、ステップＳ２００３の処理を完了すると、ステップＳ２００５の処理へ進む。図１６Ａは、画像特定部１０９が、ステップＳ２００３において読み出した変速方向画像を示す図である。尚、図１６Ａにおいて破線で示されるガイド画像１２１は、表示装置１２の表示画面における“−”の標識とガイド画像１２１との位置関係を明確にするために図示されているものであり、画像特定部１０９から出力される画像は含まれるものではない。
【００７１】
ステップＳ２００４において、画像特定部１０９は、表示装置１２の表示画面における所定の位置１３２にシフトアップ操作がされたことを示す“＋”の標識が描画された変速方向画像を変速段画像記憶部１０８から読み出して出力する。画像特定部１０９が、ステップＳ２００４の処理を完了すると、ステップＳ２００５の処理へ進む。図１６Ｂは、画像特定部１０９が、ステップＳ２００４において読み出した変速方向画像を示す図である。尚、図１６Ｂにおいて破線で示されるガイド画像１２１は、表示装置１２の表示画面における“＋”の標識とガイド画像１２１との位置関係を明確にするために図示されているものであり、画像特定部１０９から出力される画像に含まれるものではない。
【００７２】
ステップＳ２００５において、画像合成部１０６は、ガイド画像処理部１０５から出力されるガイド画像１２１と画像特定部１０９から出力される変速段画像１２６及び変速方向画像のそれぞれを合成して出力する。
【００７３】
以上より、第１の実施形態の第１の変形例によれば、画像特定部１０９が、シフトダウン操作がされたときに“−”の標識が描画された変速方向画像を出力し、シフトアップ操作がされたときに“＋”の標識が描画された変速方向画像を出力する。そして、画像合成部１０６は、“＋”又は“−”のいずれか一方の変速方向画像が合成された画像を出力するため、搭乗者は変速段を切り換える前後の変速段を比較することなく、シフトダウン操
作又はシフトアップ操作がされたことを瞬時に確認することができる。
【００７４】
尚、第１の実施形態の第１の変形例において、画像特定部１０９が、“＋”又は“−”のいずれかの標識が描画された変速方向画像を出力する期間は、搭乗者がシフトダウン操作又はシフトアップ操作がされたことを確認することができる期間だけでもよい。具体的には、シフトダウン操作又はシフトアップ操作のいずれかの操作の後、予め定められた所定の時間だけ“＋”又は“−”の標識を表示する。これは、シフトダウン操作又はシフトアップ操作が完了したのにもかかわらず、表示装置１２に“＋”又は“−”のいずれかの標識が表示され続けることによって、搭乗者が混乱することを防ぐためである。
【００７５】
（第１の実施形態の第２の変形例）
第１の実施形態の第２の変形例では、表示制御装置１０がシフト位置が切り替わる様子を動画として、表示装置１２に表示させる。図１８のフローチャートは、そのために図６のフローチャートに示す処理を変更したものである。したがって、第１の実施形態と同一の処理には、同一の参照符号を付し、説明を省略する。
【００７６】
ステップＳ１００１において、ガイド画像処理部１０５は、ステップＳ１０３において読み出したガイド画像１２１を、シフト位置情報が示すシフト位置に応じたシフトレバー保持標識が第１の位置１２３に描画される方向に所定の移動量だけ移動させる。ガイド画像処理部１０５が、ステップＳ１００１の処理を完了すると、ステップＳ１０５の処理へ進む。
【００７７】
ステップＳ１００２において、ガイド画像処理部１０５は、ステップＳ１００１において移動させたガイド画像１２１において、シフト位置情報によって示されるシフト位置に対応するシフトレバー保持標識が第１の位置１２３に配置されたか否かを判断する。そして、ガイド画像処理部１０５が、シフト位置情報によって示されるシフト位置に対応するシフトレバー保持標識が第１の位置１２３に配置されたと判断した場合、図１８のフローチャートに示す処理をステップＳ１０１から繰り返す。一方、ガイド画像処理部１０５が、ガイド画像１２１上のシフト位置情報によって示されるシフト位置に対応するシフトレバー保持標識が第１の位置１２３に配置されていないと判断した場合、ステップＳ１００１の処理へ戻る。
【００７８】
図１９Ａ〜Ｄのそれぞれは、第１の実施形態の第２の変形例に係る表示制御装置１０が所定の移動量ずつガイド画像１２１を移動させることにより、表示装置１２の表示画面において、動画で表示されるガイド画像１２１の移動する様子を段階的に示す図である。図１９Ａ〜Ｄのそれぞれは、搭乗者がシフト位置をＮポジションからＤポジションに切り換えたときに、動画で表示されるガイド画像１２１の移動する様子を示している。図１９Ａ〜Ｄに示すとおり、第１の実施形態の変形例によれば、ガイド画像１２１が移動している様子を動画で表示することができるため、切換前のシフト位置からシフト位置情報が示すシフト位置までシフトレバー１１２が揺動する様子を明確に搭乗者に視認させることができる。
【００７９】
尚、第１の実施形態の変形例において、図１９Ｂ及びＣの第１の位置１２３に図示されている破線で囲まれた円を実際に画像合成部１０６が第１の位置１２３に重畳して合成してもよい。これにより、表示装置１２の表示画面上では、図１９Ｂ及び図１９Ｃに図示されている破線で囲まれた円が、ガイド画像１２１上をＮポジションのシフト位置からＤポジションのシフト位置まで移動しているように表示されるため、シフトレバー１１２がガイド１１３に沿って揺動しているイメージをより明確に搭乗者に伝えることができる。
【００８０】
尚、シフト位置が１段階だけ切り換えられたときに、ガイド画像処理部１０５が、ガイ
ド画像１２１を移動させるための時間を予め設定しておき、所定の時間でガイド画像１２１の移動を完了するように、ステップＳ１００１における移動量を予め決定してもよい。
【００８１】
（第２の実施形態）
図２０は、本発明の第２の実施形態に係る表示制御装置２０の構成を示すブロック図である。図２０に示す表示制御装置２０は、第１の実施形態に係る表示制御装置１０と比較して、ガイド画像記憶部１０３と異なるガイド画像を記憶するガイド画像記憶部２０１及びガイド画像処理部１０５と異なる動作をするガイド画像処理部２０２を備える点が異なる。したがって、表示制御装置２０において、表示制御装置１０と同一の構成要素には同一の参照符号を付し、説明を省略する。
【００８２】
ガイド画像記憶部２０１は、シフトレバー保持標識１２２ａ〜１２２ｅがそれぞれ第１の位置１２３に描画されるように配置された複数のガイド画像１２１を記憶している。ガイド画像記憶部１０３が、１枚のガイド画像を記憶しているのに対して、ガイド画像記憶部２０１が複数のガイド画像１２１を記憶している点が相違点である。
【００８３】
ガイド画像処理部２０２は、ガイド画像記憶部２０１に記憶されているガイド画像１２１の内、切り換え判定部１０１から出力されるシフト位置情報が示すシフト位置に対応するシフトレバー保持標識が第１の位置１２３に描画されているガイド画像１２１を読み出して出力する。ガイド画像処理部１０５が、読み出したガイド画像を移動させるのに対して、ガイド画像処理部２０２は、読み出したガイド画像を移動させない点が相違点である。
【００８４】
次に、以上のように構成される表示制御装置２０の具体的な動作を図２１に示すフローチャートを参照しながら説明する。尚、図２１に示すフローチャートにおいて図６に示すフローチャートと同一の処理については同一の参照符号を付し、説明を省略する。
【００８５】
ステップＳ２１０において、ガイド画像処理部２０２は、ガイド画像記憶部２０１が記憶している複数のガイド画像１２１の内、切り換え判定部１０１から出力されるシフト位置情報が示すシフト位置に対応するシフトレバー保持標識が第１の位置１２３に描画されたガイド画像１２１を読み出して出力する。
【００８６】
以上より、第２の実施形態に係る表示制御装置２０によれば、変速装置１１のシフトレバー保持位置１１４ａ〜１１４ｅのそれぞれに応じたシフトレバー保持標識１２２ａ〜１２２ｅのそれぞれが第１の位置１２３に予め配置された複数のガイド画像１２１を記憶しておくことで、ガイド画像処理部２０２は読み出したガイド画像１２１を配置する処理をすることなく出力できるため、ガイド画像処理部２０２の処理の負担を軽減することができる。
【００８７】
尚、第２の実施形態において、第１の実施形態と同様にシーケンシャルシフトマチックモードを備える変速装置の変速段を表示する場合は、表示制御装置１０ａと同様に表示制御装置２０に変速段画像記憶部を構成要素として追加して、画像特定部１０４が現在の変速段を数字で示す変速段画像１２６を変速段画像記憶部から読み出して、画像合成部１０６へ出力してもよい。
【００８８】
（第３の実施形態）
図２２は、本発明の第３の実施形態に係る表示制御装置３０の構成を示すブロック図である。図２２に示す表示制御装置３０は、ガイド画像記憶部３０１と画像特定部３０２と画像出力部３０３とを備える。その他の構成要素は、第１の実施形態と同一であるため、同一の構成要素には同一の参照符号を付し、説明を省略する。尚、第３の実施形態におけ
る第１の位置１２３及び第２の位置１２４は、第１の実施形態と同様に互いに同じ位置であるものとする。
【００８９】
ガイド画像記憶部３０１は、シフトレバー保持標識１２２ａ〜１２２ｅのそれぞれが第１の位置１２３に描画されるように配置されており、第１の位置１２３に描画されているシフトレバー保持標識に対応するシフト位置を文字で示すシフト位置標識が第２の位置１２４に予め合成された複数の画像をそれぞれガイド画像１２１として記憶している。
【００９０】
画像特定部３０２は、ガイド画像記憶部３０１に記憶されている複数のガイド画像１２１の内、切り換え判定部１０１から出力されるシフト位置情報が示すシフト位置に対応するシフトレバー保持標識が第１の位置１２３に描画されており、第１の位置１２３に描画されているシフトレバー保持標識に対応するシフト位置を文字で示すシフト位置標識が第２の位置１２４に予め合成されているガイド画像１２１を読み出す。
【００９１】
画像出力部３０３は、画像特定部３０２から出力されるガイド画像１２１を表示装置１２へ出力する。
【００９２】
次に、以上のように構成された表示制御装置３０の具体的な動作を図２３に示すフローチャートを参照しながら説明する。尚、図２３のフローチャートに示す処理の内、図６に示すフローチャートと同一の処理については、同一の参照符号を付し説明を省略する。
【００９３】
ステップＳ３０１において、画像特定部３０２は、切り換え判定部１０１から出力されるシフト位置情報が示すシフト位置に対応するシフトレバー保持標識が第１の位置１２３に描画され、第１の位置１２３に描画されているシフトレバー保持標識に対応するシフト位置を文字で示すシフト位置標識が第２の位置１２４に合成されているガイド画像１２１をガイド画像記憶部３０１から読み出す。
【００９４】
ステップＳ３０２において、画像出力部３０３は、画像特定部３０２が読み出した画像を表示装置１２に出力する。
【００９５】
以上より、第３の実施形態に係る表示制御装置３０によれば、ガイド画像１２１とシフト位置画像１２５とを合成する処理を必要としないため、表示制御装置３０に係る処理の負担を軽減することができる。
【００９６】
尚、第３の実施形態において、第１の実施形態と同様にシーケンシャルシフトマチックモードを備える変速装置の変速段を表示する場合は、表示制御装置１０ａと同様に表示制御装置３０に変速段画像記憶部を構成要素として追加して、画像特定部３０２が、シフト位置画像の代わりに現在の変速段を数字で示す変速段画像１２６を変速段画像記憶部から読み出して画像出力部３０３へ出力してもよいし、ガイド画像記憶部３０１が、第１の位置１２３にシフトレバー保持標識１２２ｅが描画されたガイド画像１２１に、選択されうる変速段を示す数字がそれぞれ合成された画像をガイド画像として予め記憶してもよい。
【００９７】
尚、第１の実施形態及び第２の実施形態では、表示制御装置が図２に示すようなゲートシフト方式のシフトレバーのシフト位置を表示させるものとして説明をしたが、本発明の適用範囲は、ゲートシフト方式に限られるものではなく、ストレートシフト方式やコラムシフト方式のシフトレバーのシフト位置を表示させる場合にも適用可能である。
【産業上の利用可能性】
【００９８】
本発明によれば、シフトレバーの揺動方向、現在のシフト位置を容易に理解することができる表示制御装置を提供することができ、例えば、自動車等の移動体に搭載される表示
制御装置などに利用することができる。
【図面の簡単な説明】
【００９９】
【図１】第１の実施形態に係る表示制御装置の構成を示すブロック図
【図２】本発明に係る変速装置の構成の一例を示す模式図
【図３】ガイド画像の一例を示す図
【図４】シフト位置画像の一例を示す図
【図５】第１の実施形態に係る表示制御装置が出力する画像の一例を示す図
【図６】第１の実施形態に係る表示制御装置の処理を示すフローチャート
【図７Ａ】第１の実施形態に係る表示制御装置が出力する画像の一例を示す図
【図７Ｂ】第１の実施形態に係る表示制御装置が出力する画像の一例を示す図
【図７Ｃ】第１の実施形態に係る表示制御装置が出力する画像の一例を示す図
【図７Ｄ】第１の実施形態に係る表示制御装置が出力する画像の一例を示す図
【図７Ｅ】第１の実施形態に係る表示制御装置が出力する画像の一例を示す図
【図８】表示装置の一例を示す図
【図９】変速段を表示する表示制御装置の構成を示す図
【図１０】変速段が表示されている表示画面の一例を示す図
【図１１】変速段画像の一例を示す図
【図１２】シーケンシャルシフトマチックモードが選択されているときに配置されるガイド画像を示す図
【図１３】変速段を表示する表示制御装置の処理を示すフローチャート
【図１４Ａ】変速段が表示されている表示画面の一例を示す図
【図１４Ｂ】変速段が表示されている表示画面の一例を示す図
【図１４Ｃ】変速段が表示されている表示画面の一例を示す図
【図１４Ｄ】変速段が表示されている表示画面の一例を示す図
【図１４Ｅ】変速段が表示されている表示画面の一例を示す図
【図１５】レバー位置標識が表示されている表示画面の一例を示す図
【図１６Ａ】変速方向画像の一例を示す図
【図１６Ｂ】変速方向画像の一例を示す図
【図１７】変速方向画像を表示する表示制御装置の処理を示すフローチャート
【図１８】ガイド画像が移動する様子を動画で表示する表示制御装置の処理を示すフローチャート
【図１９Ａ】ガイド画像が移動する様子を動画で表示している表示画面の一例を示す図
【図１９Ｂ】ガイド画像が移動する様子を動画で表示している表示画面の一例を示す図
【図１９Ｃ】ガイド画像が移動する様子を動画で表示している表示画面の一例を示す図
【図１９Ｄ】ガイド画像が移動する様子を動画で表示している表示画面の一例を示す図
【図２０】第２の実施形態に係る表示制御装置の構成を示すブロック図
【図２１】第２の実施形態に係る表示制御装置の処理を示すフローチャート
【図２２】第３の実施形態に係る表示制御装置の構成を示すブロック図
【図２３】第３の実施形態に係る表示制御装置の処理を示すフローチャート
【図２４】従来技術における変速装置を示す図
【図２５】従来の表示方法による表示を示す図
【図２６】従来の表示方法による表示を示す図
【図２７】従来の表示方法による表示を示す図
【符号の説明】
【０１００】
１０、１０ａ、２０、３０  表示制御装置
１１  変速装置
１２  表示装置
１０１、１０７  切り換え判定部
１０２  シフト位置画像記憶部
１０３、２０１、３０１  ガイド画像記憶部
１０４、１０９、３０２  画像特定部
１０５、２０２  ガイド画像処理部
１０６  画像合成部
１０８  変速段画像記憶部
３０３  画像出力部
１１０  変速操作部
１１１  変速制御ＥＣＵ
１１２  シフトレバー
１１３  ガイド
１２１  ガイド画像
１２２ａ〜１２２ｅ  シフトレバー保持標識
１２３  第１の位置
１２４  第２の位置
１２５  シフト位置画像
１２６  変速段画像
【図１】
2008213780.tif 000003
【図２】
2008213780.tif 000004
【図３】
2008213780.tif 000005
【図４】
2008213780.tif 000006
【図５】
2008213780.tif 000007
【図６】
2008213780.tif 000008
【図７Ａ】
2008213780.tif 000009
【図７Ｂ】
2008213780.tif 000010
【図７Ｃ】
2008213780.tif 000011
【図７Ｄ】
2008213780.tif 000012
【図７Ｅ】
2008213780.tif 000013
【図８】
2008213780.tif 000014
【図９】
2008213780.tif 000015
【図１０】
2008213780.tif 000016
【図１１】
2008213780.tif 000017
【図１２】
2008213780.tif 000018
【図１３】
2008213780.tif 000019
【図１４Ａ】
2008213780.tif 000020
【図１４Ｂ】
2008213780.tif 000021
【図１４Ｃ】
2008213780.tif 000022
【図１４Ｄ】
2008213780.tif 000023
【図１４Ｅ】
2008213780.tif 000024
【図１５】
2008213780.tif 000025
【図１６Ａ】
2008213780.tif 000026
【図１６Ｂ】
2008213780.tif 000027
【図１７】
2008213780.tif 000028
【図１８】
2008213780.tif 000029
【図１９Ａ】
2008213780.tif 000030
【図１９Ｂ】
2008213780.tif 000031
【図１９Ｃ】
2008213780.tif 000032
【図１９Ｄ】
2008213780.tif 000033
【図２０】
2008213780.tif 000034
【図２１】
2008213780.tif 000035
【図２２】
2008213780.tif 000036
【図２３】
2008213780.tif 000037
【図２４】
2008213780.tif 000038
【図２５】
2008213780.tif 000039
【図２６】
2008213780.tif 000040
【図２７】
2008213780.tif 000041